(57)【要約】【課題】誘導ブロックを隣接して敷設した場合であっても、通信エリアの広域化を図りつつ、通信特性を確保する。【解決手段】歩行者誘導ブロック１２は、アンテナコイル２１が当該歩行者誘導ブロック１２の周縁近傍に配置されており、複数の歩行者誘導ブロック１２を設置するに際し、いずれか一の歩行者誘導ブロック１２に対して、他の歩行者誘導ブロック１２を一の歩行者誘導ブロック１２の略対角線方向（ＤＬ１方向あるいはＤＬ２方向）に配置する。あるいは、歩行者誘導ブロック１２をジグザグ状あるいは格子状に配置する。【選択図】      図４
2004208797.tif 000002
【特許請求の範囲】
【請求項１】
外形形状が略正方形状を有し、歩行者を誘導するための情報を送信する歩行者誘導ブロックの配置方法において、
前記歩行者誘導ブロックは、アンテナコイルが当該歩行者誘導ブロックの周縁近傍に配置されており、
複数の前記歩行者誘導ブロックを設置するに際し、いずれか一の歩行者誘導ブロックに対して、他の歩行者誘導ブロックを前記一の歩行者誘導ブロックの略対角線方向に配置することを特徴とする歩行者誘導ブロックの配置方法。
【請求項２】
外形形状が略正方形状を有し、歩行者を誘導するための情報を送信する歩行者誘導ブロックの配置方法において、
前記歩行者誘導ブロックは、アンテナコイルが当該歩行者誘導ブロックの周縁近傍に配置されており、
複数の前記歩行者誘導ブロックを設置するに際し、前記歩行者誘導ブロックをジグザグ状あるいは格子状に配置したことを特徴とする歩行者誘導ブロックの配置方法。
【請求項３】
外形形状が略正方形状を有し、歩行者を誘導するための情報を送信する第１歩行者誘導ブロックと、外形形状が略正方形状を有し、歩行者を誘導するための形状に形成された第２歩行者誘導ブロックと、を配置する歩行者誘導ブロックの配置方法において、
前記第１歩行者誘導ブロックは、アンテナコイルが当該第１歩行者誘導ブロックの周縁近傍に配置され、
前記第１歩行者誘導ブロックと前記第２歩行者誘導ブロックとを平面状に設置するに際し、いずれか一の前記第１歩行者誘導ブロックに対して、他の前記第１歩行者誘導ブロックを前記一の第１歩行者誘導ブロックの略対角線方向に配置することを特徴とする歩行者誘導ブロックの配置方法。
【請求項４】
外形形状が略正方形状を有し、歩行者を誘導するための情報を送信する第１歩行者誘導ブロックと、外形形状が略正方形状を有し、歩行者を誘導するための形状に形成された第２歩行者誘導ブロックと、を配置する歩行者誘導ブロックの配置方法において、
前記第１歩行者誘導ブロックはアンテナコイルが当該第１歩行者誘導ブロックの周縁近傍に配置され、
前記第１歩行者誘導ブロックと前記第２歩行者誘導ブロックとを平面状に設置するに際し、前記第１歩行者誘導ブロックをジグザグ状あるいは格子状に配置したことを特徴とする歩行者誘導ブロックの配置方法。
【請求項５】
外形形状が略正方形状を有する歩行者誘導ブロックに対応づけて歩行者を誘導するための情報を送信する情報送信装置の配置方法において、
前記情報送信装置は、アンテナコイルと、前記情報を記憶する情報記憶部と、前記情報記憶部から情報を読み出し、前記アンテナコイルを介して送信する送信部と、を備え、
あらかじめ選択した前記歩行者誘導ブロックの下面側に前記アンテナコイルが当該歩行者誘導ブロックの周縁近傍に配置されるように配置し、
前記選択した歩行者誘導ブロックのうち、いずれか一の前記歩行者誘導ブロックに対して他の歩行者誘導ブロックを前記一の歩行者誘導ブロックの略対角線方向に配置することを特徴とする情報送信装置の配置方法。
【請求項６】
外形形状が略正方形状を有する歩行者誘導ブロックに対応づけて歩行者を誘導するための情報を送信する情報送信装置の配置方法において、
前記情報送信装置は、アンテナコイルと、前記情報を記憶する情報記憶部と、前記情報記憶部から情報を読み出し、前記アンテナコイルを介して送信する送信部と、を備え、
あらかじめ選択した前記歩行者誘導ブロックの下面側に前記アンテナコイルが当該歩行者誘導ブロックの周縁近傍に配置されるように配置し、
複数の前記選択した歩行者誘導ブロックを設置するに際し、前記歩行者誘導ブロックをジグザグ状あるいは格子状に配置したことを特徴とする情報送信装置の配置方法。
【発明の詳細な説明】
【０００１】
【発明の属する技術分野】
本発明は、歩行者誘導ブロックの配置方法および情報送信装置の配置方法に係り、特に視覚障害者を安全に誘導するための歩行者誘導ブロックの配置方法および情報送信装置の配置方法に関する。
【０００２】
【従来の技術】
従来においては、視覚障害者が屋外で歩行する場合には、白杖と呼ばれる白色の杖を使用し、進行方向の状態を触覚により探りながら、安全を確保していた。
【０００３】
ところで、プラットホームを含む駅設備や歩道の一部においては、点状あるいは線状の突起を有する３０センチメートル四方の正方形状の視覚障害者誘導ブロックが敷設されている場合がある。
【０００４】
このような視覚障害者誘導ブロックが敷設されていれば、視覚障害者は、視覚障害者誘導ブロックに形成されている突起の有無、すなわち、視覚障害者用誘導ブロックの有無を足裏の触覚で確認し、あるいは、白杖を使用して視覚障害者用誘導ブロックが進行方向に継続しているか否かを判別することにより、進行可能か否かあるいは進行に注意を要すべきなのかを判別することができる。
【０００５】
また、視覚障害者用誘導ブロックの多くは黄色に着色されており、弱視者においては、黄色を目印として行動をとるようにされていた。
【０００６】
さらに視覚障害者に対しては、各種の情報を提供するために、誘導ブロックにセンサを内蔵し、外部スピーカから音声情報を流したり、誘導ブロックに識別用の電波を発生させるべく、ＩＣタグ（非接触通信型ＩＣモジュール）などを内蔵させて視覚障害者が携帯する端末へ情報を送信することで端末から音声情報を流すシステムが考案されている。具体的には、特許文献１あるいは特許文献２に開示されているような技術が考案されている。
【０００７】
【特許文献１】
特開２００１−１９０５８９号公報
【特許文献２】
特開２００１−３４９７４４号公報
【０００８】
【発明が解決しようとする課題】
ところで、誘導ブロックに内蔵するＩＣタグは、誘導ブロックの冠水の有無や人体の影響を避けるために電磁誘導方式のＩＣタグを利用している。
【０００９】
このため、一般的なＩＣタグにおいては、１００ｋＨｚ〜３０ＭＨｚ程度の周波数を使用している。
【００１０】
しかしながら、実用化およびタグの通信エリアの広域化および受信アンテナの小型化の観点からは、数１００ｋＨｚの周波数を利用するＩＣタグが有望である。特に、通信エリアの広域化を図るためには、誘導ブロックと同サイズ程度の大型のアンテナコイルを使用するのが望ましい。しかしながら、誘導ブロック全体で通信領域を確保するために、図７に示すように、誘導ブロック５０と略同サイズのアンテナコイル５１を有する大型ＩＣタグを内蔵し、誘導ブロックを隣接して敷設するとアンテナコイル間の相互干渉により共振周波数が変化し、通信特性が劣化するという問題点が生じる。
【００１１】
具体的には、図７に示したように、ＩＣタグを内蔵した複数の誘導ブロックを直線状（あるいは平面状）に連続的に配置した場合には、３個の誘導ブロック５０のうち、中央に位置する誘導ブロック５０のアンテナコイル５１の特性は、両側の誘導ブロック５０を構成するアンテナコイル５１との間の相互干渉により通信距離が短くなる。
【００１２】
より具体的には、中央に位置する誘導ブロック５０のアンテナコイルは、同一の共振周波数ｆAを有する両側の誘導ブロック５０を構成するアンテナコイル５１に挟まれることにより、図５に破線で示すように、共振周波数ｆAのＱ値が見かけ上低下することとなる。
【００１３】
ここで、共振周波数ｆAは、通信キャリア信号の周波数であり、ＩＣタグは、電源を内蔵せずに通信キャリア信号による電磁誘導現象を利用して電源を生成しているため、Ｑ値が低下すると得られる電力も低下し、電源電力が十分に得られなくなってしまう。この結果、信号検出電圧も小さくなり、結果として通信距離が低下するという問題が生じるのである。
【００１４】
この通信特性の劣化の影響を低減するためには、アンテナコイル間を離間させる必要があるが、必要以上に離間してしまうと、誘導ブロック全体で通信領域を確保できず、歩行者がＩＣタグの情報を読み取りそこねる（受信しそこねる）という新たな問題点が生じる。
【００１５】
そこで、本発明の目的は、誘導ブロックを隣接して敷設した場合に通信エリアの広域化を図り、かつ、通信特性を確保することが可能な歩行者誘導ブロックの配置方法および情報送信装置の配置方法を提供することにある。
【００１６】
【課題を解決するための手段】
上記課題を解決するため、外形形状が略正方形状を有し、歩行者を誘導するための情報を送信する歩行者誘導ブロックの配置方法は、前記歩行者誘導ブロックは、アンテナコイルが当該歩行者誘導ブロックの周縁近傍に配置されており、複数の前記歩行者誘導ブロックを設置するに際し、いずれか一の歩行者誘導ブロックに対して、他の歩行者誘導ブロックを前記一の歩行者誘導ブロックの略対角線方向に配置することを特徴としている。
【００１７】
また、外形形状が略正方形状を有し、歩行者を誘導するための情報を送信する歩行者誘導ブロックの配置方法は、前記歩行者誘導ブロックは、アンテナコイルが当該歩行者誘導ブロックの周縁近傍に配置されており、複数の前記歩行者誘導ブロックを設置するに際し、前記歩行者誘導ブロックをジグザグ状あるいは格子状に配置したことを特徴としている。
【００１８】
また、外形形状が略正方形状を有し、歩行者を誘導するための情報を送信する第１歩行者誘導ブロックと、外形形状が略正方形状を有し、歩行者を誘導するための形状に形成された第２歩行者誘導ブロックと、を配置する歩行者誘導ブロックの配置方法は、前記第１歩行者誘導ブロックは、アンテナコイルが当該第１歩行者誘導ブロックの周縁近傍に配置され、前記第１歩行者誘導ブロックと前記第２歩行者誘導ブロックとを平面状に設置するに際し、いずれか一の前記第１歩行者誘導ブロックに対して、他の前記第１歩行者誘導ブロックを前記一の第１歩行者誘導ブロックの略対角線方向に配置することを特徴としている。
【００１９】
また、外形形状が略正方形状を有し、歩行者を誘導するための情報を送信する第１歩行者誘導ブロックと、外形形状が略正方形状を有し、歩行者を誘導するための形状に形成された第２歩行者誘導ブロックと、を配置する歩行者誘導ブロックの配置方法は、前記第１歩行者誘導ブロックはアンテナコイルが当該第１歩行者誘導ブロックの周縁近傍に配置され、前記第１歩行者誘導ブロックと前記第２歩行者誘導ブロックとを平面状に設置するに際し、前記第１歩行者誘導ブロックをジグザグ状あるいは格子状に配置したことを特徴としている。
【００２０】
また、外形形状が略正方形状を有する歩行者誘導ブロックに対応づけて歩行者を誘導するための情報を送信する情報送信装置の配置方法は、前記情報送信装置は、アンテナコイルと、前記情報を記憶する情報記憶部と、前記情報記憶部から情報を読み出し、前記アンテナコイルを介して送信する送信部と、を備え、あらかじめ選択した前記歩行者誘導ブロックの下面側に前記アンテナコイルが当該歩行者誘導ブロックの周縁近傍に配置されるように配置し、前記選択した歩行者誘導ブロックのうち、いずれか一の前記歩行者誘導ブロックに対して他の歩行者誘導ブロックを前記一の歩行者誘導ブロックの略対角線方向に配置することを特徴としている。
【００２１】
また、外形形状が略正方形状を有する歩行者誘導ブロックに対応づけて歩行者を誘導するための情報を送信する情報送信装置の配置方法は、前記情報送信装置は、アンテナコイルと、前記情報を記憶する情報記憶部と、前記情報記憶部から情報を読み出し、前記アンテナコイルを介して送信する送信部と、を備え、あらかじめ選択した前記歩行者誘導ブロックの下面側に前記アンテナコイルが当該歩行者誘導ブロックの周縁近傍に配置されるように配置し、複数の前記選択した歩行者誘導ブロックを設置するに際し、前記歩行者誘導ブロックをジグザグ状あるいは格子状に配置したことを特徴としている。
【００２２】
【発明の実施の形態】
次に本発明の好適な実施形態について図面を参照して説明する。
【００２３】
図１は、歩行者誘導システムの概要構成ブロック図である。
歩行者誘導システム１０は、大別すると、ＩＣタグ１１を内蔵し、誘導情報を送信可能な誘導ブロック１２と、誘導情報の送信機能を有さない誘導ブロック４１（または４２）と、歩行者側装置１３と、を備えている。
この場合において、誘導ブロック１２、４１、４２の材質としては、コンクリート、セラミック、ゴム、高強度プラスチックその他の樹脂が考えられる。
【００２４】
図２はＩＣタグ１１の概要構成ブロック図である。
ＩＣタグ１１は、大別すると、アンテナコイル２１と、電源生成部２２と、通信コントローラ２３と、メモリ２４と、を備えている。
ここで、アンテナコイル２１の材質としては、被覆導線、エナメル線、リッツ線などが挙げられる。
【００２５】
電源生成部２２は、アンテナコイル２１が外部からの電波を受信して発生した電磁誘導による電力をコントローラ２３に供給する。
通信コントローラ２３は、電源生成部２２から供給された電力により、ＩＣタグ１１全体を制御する。すなわち、歩行者側装置１３からの情報要求データに基づいて、メモリ２４から誘導情報を読み出してアンテナコイル２１を介して歩行者装置１３側に送信する。
メモリ２４は、ＲＯＭ、フラッシュＲＯＭ、ＥＥＰＲＯＭなどの不揮発性メモリで構成され、各種の誘導情報を記憶している。
【００２６】
図３は誘導ブロックにおけるアンテナコイルの配置位置説明図である。
誘導ブロック１２は、外形形状が３０ｃｍ四方の略正方形状を有している。
アンテナコイル２１の平面的な外形は、誘導ブロック１２の外形と略相似な略正方形状をしている。
【００２７】
そして誘導ブロック１２の周縁部にはフレーム１４が形成されており、このフレームにアンテナコイル２１を支持させることにより、周縁近傍にアンテナコイル２１を配置するととともに、誘導ブロック１２の強度を確保している。
一方、歩行者側装置１３は、杖状あるいは携帯電話、ＰＤＡ（Personal Digital Assistant ）などの携帯型情報機器として構成され、大別すると、情報読出部３１と、情報告知部３２と、電源３３と、備えている。
【００２８】
情報読出部３１は、大別すると、ＩＣタグと同様にアンテナコイルと、通信コントローラと、メモリと、を備えている。
情報読出部３１の通信コントローラは、電源３３から供給された電力により、情報読出部３１全体を制御する。すなわち、あらかじめ情報読出部のメモリに格納された制御プログラムに基づいて、所定タイミング毎に情報要求データを生成し、アンテナコイル２１を介して誘導ブロック１２側に送信する。
【００２９】
情報読出部３１のメモリは、ＲＯＭ、フラッシュＲＯＭ、ＥＥＰＲＯＭなどの不揮発性メモリおよびＲＡＭで構成され、制御プログラムおよび各種データの一時的な格納を行う。
情報告知部３２は、ブザー、バイブレータあるいは音声出力装置などを備え、ユーザに誘導情報を告知する。例えば、前方に横断歩道がある場合には、対応するパターンでブザーを鳴動し、あるいは、バイブレータを振動させたり、「前方に横断歩道です。」のようなメッセージを再生することとなる。
電源３３は、一次電池あるいは二次電池として構成されており、歩行者側装置１３全体に電力を供給する。
【００３０】
図４は、歩行者誘導装置の敷設例の説明図である。
誘導ブロックには、通常、２種類がある。具体的には、円状の突起が形成された注意喚起用の誘導ブロック１２（または４１）と、線状の突起が形成された案内用の誘導ブロック４２と、の２種類がある。
注意喚起用の誘導ブロック１２（または４１）は、「止まれ」や「注意」の意味を表す誘導ブロックである。
案内誘導ブロック４２は、線状の突起の延在方向（長手方向）に「進め」の意味を表す誘導ブロックである。
【００３１】
図４の実施形態の場合には、注意喚起用の誘導ブロック１２および誘導ブロック４１のうち、誘導ブロック１２にのみＩＣタグ１１を内蔵している。
そして、ＩＣタグ１１を内蔵した複数の誘導ブロック１２を設置するに際し、いずれか一の誘導ブロック（例えば、中央上部の誘導ブロック）に対して、他の歩行者誘導ブロック（例えば、左下部の誘導ブロックおよび右下部の誘導ブロック）を一の歩行者誘導ブロックの略対角線方向（矢印ＤＬ１方向あるいは矢印ＤＬ２方向）に配置している。
言い換えれば、ＩＣタグ１１を内蔵した複数の誘導ブロック１２を誘導ブロック４１（または４２）とともに、平面状に配置するに際し、誘導ブロック１２をジグザグ状（あるいは格子状）に配置している。
【００３２】
この結果、以下のような効果が得られる。
いずれの誘導ブロック１２においても両側（図中、上下、左右方向）に同一共振周波数ｆAのコイルアンテナが存在していないので、図５に実線で示すように、共振周波数ｆAにおけるＱ値が見かけ上低下することがない。
【００３３】
ところで、上述したようにＩＣタグ１１は、電源を内蔵せず、電源生成部２２によりキャリア信号による電磁誘導現象を利用して、電源を生成し供給しているが、その供給電力は、共振周波数ｆAにおけるＱ値に比例することとなるので、供給電力も十分に確保することができる。
これにより、信号検出電圧も低下しないので、通信距離を十分に確保し、通信品質を向上させることができる。
【００３４】
また、すべての誘導ブロックにＩＣタグを内蔵する必要がないので、設置コストの低減を図ることができる。特に情報送信機能を有しない既存の誘導ブロックを本実施形態の誘導ブロック１２（あるいは１５）に置き換える場合でも、設置コストの低減を図ることができる。
【００３５】
以上の説明においては、注意喚起用の誘導ブロック１２にＩＣタグ１１を内蔵する場合について説明したが、案内用の誘導ブロック１５に内蔵する構成とすることも可能である。
【００３６】
具体的には、図６に示すように、注意喚起用の誘導ブロック１２と、案内用の誘導ブロック１５と、を誘導ブロック４１あるいは誘導ブロック４２と組み合わせて平面状に配置するに際し、誘導ブロック１２および誘導ブロック１５をジグザグ状（あるいは格子状）に配置すれば、上記実施形態と同様の効果を得ることが可能となる。
【００３７】
また、以上の説明においては、ＩＣタグ１１を誘導ブロック１２に内蔵する構成を採っていたが、誘導ブロック１２を電波を透過可能な材料で形成し、誘導ブロック１２の下面側にＩＣタグを別途配置する構成とすることも可能である。
このような構成とすることにより、誘導ブロック１２の強度を確保しつつ、通信エリアの広域化および通信品質の確保を図ることができる。
【００３８】
さらに、以上の説明においては、視覚障害者用の誘導ブロックを例として説明したが、通常のタイル（タイルブロック）にＩＣタグを導入することにより、読出装置を備えた車椅子に乗った車椅子利用者、あるいは、読出装置を備えた杖を用いることにより、高齢者を含む健常者に利用可能な構成とすることも可能である。
【００３９】
さらにまた、以上の説明においては、アンテナコイルとして正方形状のものを用いていたが、多角形状（理想的には正多角形状）のものや円形状のものを用いることが可能である。
【００４０】
以上の説明においては、磁界を利用して無線通信を行う構成としていたが、通常の電波を利用して無線通信を行う構成とすることも可能である。
【００４１】
【発明の効果】
本発明によれば、近傍に配設されたアンテナコイル同士の相互干渉の影響を低減して、誘導ブロックを隣接して敷設した場合であっても、通信エリアの広域化を図りつつ、通信特性を確保することができる。
【図面の簡単な説明】
【図１】歩行者誘導システムの概要構成ブロック図である。
【図２】ＩＣタグ１１の概要構成ブロック図である。
【図３】誘導ブロックにおけるアンテナコイルの配置位置説明図である。
【図４】実施形態の誘導ブロックの敷設例の説明図である。
【図５】共振周波数とＱ値との関係の説明図である。
【図６】実施形態の変形例の誘導ブロックの敷設例の説明図である。
【図７】従来の誘導ブロックの敷設例の説明図である。
【符号の説明】
１０  歩行者誘導システム
１１  ＩＣタグ
１２  誘導ブロック
１２  注意喚起用の誘導ブロック（歩行者誘導ブロック、第１歩行者誘導ブロック：ＩＣタグ内蔵）
１５  案内用の誘導ブロック（歩行者誘導ブロック、第１歩行者誘導ブロック：ＩＣタグ内蔵）
１３  歩行者側装置
２１  アンテナコイル
２２  電源生成部
２３  通信コントローラ（送信部）
２４  メモリ（情報記憶部）
３１  情報読出部
３２  情報告知部
３３  電源
４１  注意喚起用の誘導ブロック（第２歩行者誘導ブロック：ＩＣタグ非内蔵）
４２  案内用の誘導ブロック（第２歩行者誘導ブロック：ＩＣタグ非内蔵）
ＤＬ1 、ＤＬ2   対角線（誘導ブロックの対角線）
【図１】
2004208797.tif 000003
【図２】
2004208797.tif 000004
【図３】
2004208797.tif 000005
【図４】
2004208797.tif 000006
【図５】
2004208797.tif 000007
【図６】
2004208797.tif 000008
【図７】
2004208797.tif 000009